(57)【要約】      （修正有）【課題】美観が良く機械的耐性およびシール性能を向上できる金属ケーシング内に複数のアンテナを組み込む場合には、アンテナ間のＲＦ結合や低コスト化に考慮する。【解決手段】無線通信を行う電子装置１００は、金属ケーシングを含む。無線通信は、少なくとも１つのキャビティ付スロット・アンテナによって行われる。各キャビティは、頂部ハウジング１１０、金属壁部、プリント回路基板１４０の頂部の接地面、および底部ハウジング１５０を組み合わせることによって形成される。【選択図】図１Ｂ
2018067912.tif 000002
【特許請求の範囲】
【請求項１】
無線通信を行うように構成された電子装置であって、
第１のハウジング部分と第２のハウジング部分とを含むハウジングであって、前記ハウジングが金属材料、または、表面がメタライズされた非金属材料で構成されている、前記ハウジングと、
少なくとも無線通信機能を提供するように構成された電子部品を含むプリント回路基板であって、前記電子部品は、少なくとも１つのアンテナ・フィーダに対する駆動回路を少なくとも含み、前記プリント回路基板は、第１の表面上に接地面を含んでいる、前記プリント回路基板と、
アンテナ・フィーダによって給電される少なくとも１つのキャビティ付アンテナであって、前記キャビティの第１の部分は、前記第１のハウジング部分によって形成され、前記キャビティの第２の部分は、前記プリント回路基板の前記第１の表面の前記接地面によって形成され、前記キャビティの第３の部分は、前記第２のハウジング部分によって形成され、前記キャビティの第４の部分は、前記第１のハウジング部分から前記プリント回路基板の前記第１の表面に向かって直立した壁部によって形成されており、前記アンテナに対する前記壁部の寸法および位置が、前記キャビティ付アンテナの共振周波数および品質ファクタを定めている、前記少なくとも１つのキャビティ付アンテナと、を含み、
前記キャビティは、前記第１のハウジング部分、前記第２のハウジング部分および前記プリント回路基板を組み立てる際に形成される、前記電子装置。
【請求項２】
前記アンテナは、スロット・アンテナとパッチ・アンテナのいずれか一方である、請求項１に記載の電子装置。
【請求項３】
前記壁部がダイキャストによって作製された、請求項１または請求項２に記載の電子装置。
【請求項４】
前記壁部が機械加工によって作製された、請求項１または請求項２に記載の電子装置。
【請求項５】
前記壁部は、前記第１のハウジング部分に固定される別個の部分である、請求項１または２に記載の電子装置。
【請求項６】
前記第１のハウジング部分の前記壁部と前記プリント回路基板の前記接地面との間の電気的な接続を確立する手段をさらに含む、請求項１〜５のいずれか１項に記載の電子装置。
【請求項７】
前記電子接続が、金属フォーム、ばね接点、及びはんだペーストのうちの少なくとも１つを使用して行われる、請求項６に記載の電子装置。
【請求項８】
前記第１のハウジング部分と前記第２のハウジング部分との間に位置するスペーサをさらに含み、前記スペーサは、前記スロット・アンテナを動作させるための、前記第１のハウジング部分と前記第２のハウジング部分との間のギャップを形成している、請求項１〜７のいずれか１項に記載の電子装置。
【請求項９】
前記スペーサは誘電材料で作製されている、請求項８に記載の電子装置。
【請求項１０】
前記金属ハウジングの少なくとも１つの部分は、前記金属ハウジングに前記スロット・アンテナを動作させるための開口部を形成する、少なくとも１つのダイキャストされた、または機械加工されたスロットを含む、請求項１〜７のいずれか１項に記載の電子装置。
【請求項１１】
前記金属ハウジングの前記開口部に誘電材料が充填されている、請求項１０に記載の電子装置。
【請求項１２】
前記電子装置は、前記第１のハウジング部分が頂部ハウジングに対応し、前記第２のハウジング部分が底部ハウジングに対応するように、水平に載置されるように構成されている、請求項１〜１１のいずれか１項に記載の電子装置。
【請求項１３】
前記電子装置は、前記第１のハウジング部分が左ハウジング、右ハウジング、前部ハウジング、または後部ハウジングのうちのいずれか１つに対応し、前記第２のハウジング部分が前記第１のハウジング部分の反対側に対応するように、垂直に載置されるように構成されている、請求項１〜１１のいずれか１項に記載の電子装置。
【請求項１４】
前記壁部は、直線状である、請求項１に記載の電子装置。
【請求項１５】
前記壁部は、前記第２のハウジング部分に対して垂直である、請求項１４に記載の電子装置。
【発明の詳細な説明】
【技術分野】
【０００１】
本発明は、概ね、金属ケーシングを含む無線通信装置の分野に関する。本発明は、限定するものではないが、インターネット・ゲートウェイ、セットトップ・ボックス、ルータ、およびスマートホーム装置などの、家庭用ネットワーク電子装置に組み込むことができる。
【背景技術】
【０００２】
この節は、読者に対し、様々な技術的な態様を紹介することを意図している。これらの技術的な態様は、以下に説明する、さらに／または、以下の請求項に記載する本願の開示内容の様々な態様に関連するであろう。この説明が本開示内容の様々な態様をより良好に理解しやすくするための背景情報を読者に対して提供するのに役立つと確信する。したがって、それぞれの記載は、この点に鑑みて読まれるべきものであり、先行技術を自認するものではないことを理解すべきである。
【０００３】
インターネット・ゲートウェイ、セットトップ・ボックス・ルータ、およびスマートホーム装置などのホーム・ネットワーク装置は、複数のサービスおよびアプリケーションを提供するために、多くの無線システムを組み込んでいる。これらは、例えば、ＷｉＦｉ、Ｂｌｕｅｔｏｏｔｈ（登録商標）、ＲＦ４ＣＥ、ＺｉｇＢｅｅ、Ｚｗａｖｅのような様々な通信規格に準拠した複数の異なるシステムを含む。したがって、電子装置に組み込まれるアンテナの数が増加し、それと同時に、小型化が進められている傾向にある。結果として、アンテナを組み込んで共存させることの制約、さらには、製造コスト、組み立てコストが微妙に増加している。
【０００４】
従来、このような装置のケーシングは、プラスチック材料で作られている。製品としてのケーシングは、様々な理由から金属で作られることがある。金属で作られる場合、ハイエンド仕上げの金属表面によって製品がよりトレンディなものとなり、美観が向上する。機械的耐性およびシール性能を向上させることにより、金属ハウジングがアウトドアでの機器の用途により適したものとなる。金属ケーシングには、重量の増加による安定性の向上、ケーシングの堅牢性の向上の恩恵による寸法の減少、温度管理の効率性の向上、電子部品によって生ずる電子製品に付随したノイズからの隔離性の向上、および電磁両立性（ＥＭＣ）の問題の取り扱いの向上など、幾らかの利点がある。このような金属ケーシングは、例えば、ダイキャストまたは機械加工技術を使用して製造される。しかしながら、ハウジングを完全に金属製にした場合には、外部環境と内部部品と間を無線周波数（ＲＦ）信号が通ることができなくなる。したがって、無線通信の性能を維持するために、特に、アンテナを組み込むことに関し、特別な配慮がされなければならない。
【０００５】
携帯電話業界における解決法により、金属ケーシングを有する携帯電話内にアンテナを組み込むことが可能である。提案するアンテナの解決法は、キャビティ付パッチまたはスロット・アンテナのタイプに属する。しかしながら、これらの解決法の大部分は、限られた数のアンテナを用いた小さなフォーム・ファクタの装置に集約されている。多入力多出力（ＭＩＭＯ）機能を組み込んだ、または、複数の無線通信システムを埋め込んだ無線通信装置では、２つ以上のアンテナを金属ハウジングに組み込まれなければならない。この目的に取り組むために、パフォーマンス（スループット）の変化を最小限にするためのアンテナ・システム全体の角度範囲（ａｎｇｕｌａｒ  ｃｏｖｅｒａｇｅ）を良好なものとし、アンテナ間のＲＦ結合が低く、金属ハウジングが使用される状況で、機械的な解決法が低コストとなるような制約のうちの幾つかを考慮する必要がある。前者については、このような状況で達成することが特に困難である。
【発明の概要】
【０００６】
本発明の目的は、少なくとも部分的に、上述した欠点を軽減することにある。より具体的には、本発明の目的は、無線通信装置用のコンパクトな金属ハウジング内に複数のキャビティ付アンテナを組み込むことにある。
【０００７】
本開示内容は、無線通信を行うように構成された電子装置に関する。この電子装置は、第１のハウジング部分と第２のハウジング部分とを含むハウジングであって、ハウジングが金属材料、または、表面がメタライズされた非金属材料で構成されている、上記ハウジングと、少なくとも無線通信機能を提供するように構成された電子部品を含むプリント回路基板であって、電子回路は、少なくとも１つのアンテナ・フィーダに対する駆動回路を少なくとも含み、プリント回路基板は、プリント回路基板の頂部表面上の接地面を含む、上記プリント回路基板と、アンテナ・フィーダによって給電される少なくとも１つのキャビティ付アンテナであって、キャビティの第１の部分は、第１のハウジング部分によって形成され、第１のハウジング部分は、第１の部分に対して直交する壁部を含み、アンテナに対する壁部の寸法および位置がキャビティ付アンテナの共振周波数および品質ファクタを調節し、キャビティの第２の部分は、プリント回路基板の第１の表面の接地面によって形成され、キャビティの第３の部分は、第２のハウジング部分によって形成され、キャビティの第４の部分は、第１のハウジング部分からプリント回路基板の第１の表面に向かって直立した壁部によって形成されており、アンテナに対する壁部の寸法および位置がキャビティ付アンテナの共振周波数および品質ファクタを定めている、上記少なくとも１つのキャビティ付アンテナと、を含み、キャビティは、第１のハウジング部分、第２のハウジング部分、およびプリント回路基板を組み立てる際に形成される。変形例では、アンテナは、スロット・アンテナとパッチ・アンテナのいずれか一方である。変形例によれば、壁部は、ダイキャストによって、機械加工によって、または、第１のハウジング部分に固定される別個の金属部分によって作製される。変形例では、第１のハウジング部分の壁部とプリント回路基板の接地面との間の電子接続が確立される。電子接続は、金属フォーム、ばね接点、及びはんだペーストのうちの少なくとも１つを使用して行われる。
【０００８】
第２の態様においては、第１のハウジング部分と第２のハウジング部分との間にスペーサが位置し、スペーサは、スロット・アンテナを動作させるための、第１のハウジング部分と第２のハウジング部分との間のギャップを形成している。第２の態様の変形例においては、スペーサは誘電材料で作製されている。
【０００９】
第３の態様においては、金属ハウジングの少なくとも１つの部分は、少なくとも１つのダイキャストされた、または機械加工されたスロットを含む。第３の態様の変形例においては、金属ハウジングの開口部に誘電材料が充填されている。
【００１０】
第４の態様においては、電子装置は、第１のハウジング部分が頂部ハウジングに対応し、第２のハウジング部分が底部ハウジングに対応するように、水平に載置されるように構成されている。
【００１１】
第５の態様においては、電子装置は、第１のハウジング部分が左ハウジング、右ハウジング、前部ハウジング、または後部ハウジングのうちの１つに対応し、第２のハウジング部分が第１のハウジング部分の反対側に対応するように、垂直に載置されるように構成されている。
【００１２】
上述した各態様の変形例において、第２のハウジング部分は、第２のハウジング部分からプリント回路基板に向かって直立した壁部をさらに含む。
【００１３】
次に、本発明の実施形態を以下の添付図面を参照して、限定を意図しない例示的な目的で、説明する。
【図面の簡単な説明】
【００１４】
【図１Ａ】好ましい実施形態による無線通信装置の斜視図である。
【図１Ｂ】頂部ハウジング、スペーサ、オプションの遮蔽部、プリント回路基板、および底部ハウジングを含む無線通信装置の複数の異なる部品のアセンブリを示す分解図である。
【図２Ａ】頂部ハウジングの斜視図である。
【図２Ｂ】スペーサの斜視図である。
【図２Ｃ】プリント回路基板の斜視図である。
【図２Ｄ】底部ハウジングの斜視図である。
【図３Ａ】４つの５ＧＨｚアンテナを組み込んだスペーサの存在しない代替的な実施形態による無線通信装置の斜視図である。
【図３Ｂ】美観的な理由でフェイク・スロットが挿入された代替的な実施形態による無線通信装置の斜視図である。
【図３Ｃ】美観的な理由で別の態様のフェイク・スロットが挿入された代替的な実施形態による無線通信装置の斜視図である。
【図３Ｄ】スロット・アンテナがパッチ・アンテナに置き換えられた代替的な実施形態による無線通信装置の斜視図である。
【発明を実施するための形態】
【００１５】
図１Ａは、好ましい実施形態による無線通信装置の斜視図である。好ましい実施形態においては、装置１００は、セットトップ・ボックスである。装置１００は、図１Ａには図示されていないが、ＷｉＦｉのための４つの５ＧＨｚアンテナと、Ｂｌｕｅｔｏｏｔｈ（登録商標）無線通信のための１つの２．４ＧＨｚアンテナとを含む。レンダリングのためのテレビジョンなど、他の装置との接続は、ユニバーサル・シリアル・バス・タイプＣ（ＵＳＢ−Ｃ）または高精細度マルチメディア・インタフェース（ＨＤＭＩ（登録商標））などの様々なコネクタを通じて行われる。装置には、無線通信を通じて、または、物理的なコネクタを通じて、さらに、ユーザ・インタフェースを通じたユーザの操作によって受信したオーディオ・ビジュアル（ＡＶ）信号を復号する機能が組み込まれている。装置のハウジングは主に金属製であり、このため、良好なパフォーマンスを有する無線通信機能を組み込むことが困難となっている。
【００１６】
図１Ｂは、好ましい実施形態による、装置１００の種々の部品のアセンブリを示す分解図である。頂部ハウジング１１０は、ダイキャストまたは機械加工技術を用いて金属で作られ、キャビティ付アンテナ（ｃａｖｉｔｙ−ｂａｃｋｅｄ  ａｎｔｅｎｎａ）の第１の部分を形成する。スペーサ１２０により、頂部ハウジング１１０と底部ハウジング１５０との間のギャップを形成することができ、例えば、スロット・タイプのアンテナが形成される。好ましくは、このスペーサは、誘電材料（例えば、ＡＢＳ材料）で作られ、これにより、アンテナが小型化するだけでなく、空気が満たされる領域となるため、アンテナ効率が向上する。ギャップ幅により、アンテナの帯域幅および効率の双方が制御される。機械的な部分は、射出成形技術によって作製可能である。装置におけるノイズを低減するために、オプションの遮蔽部１３０がプリント回路基板１４０上にはんだ付けまたは固定される。オプションのサーマル・パッドを電子部品とハウジングの一方または両方の金属部分との間に配置することができる。コスト削減の理由で、サーマル・パッドの高さを縮小するために、頂部ハウジングまたは底部ハウジングの内側を機械的に一致させることができる。プリント回路基板１４０は、キャビティ付アンテナの第２の部分を形成する。このキャビティ表面領域において、プリント回路基板は、少なくとも１つの導電層を含む。底部ハウジング１５０は、ダイキャスト技術または機械加工技術を用いて金属で作製され、キャビティ付アンテナの第３の部分を形成する。頂部ハウジング１１０からプリント回路基板１４０に向かって壁部が直立し、突部を構成する。突部は、キャビティの第４の部分を形成し、側部上などの、残りの領域上のキャビティを閉塞する。したがって、頂部ハウジング、プリント回路基板、および底部ハウジングを組み立てることによってキャビティが形成される。部品を組み立てる前は、キャビティは存在しない。各キャビティは、ＲＦ回路からアンテナ導体フィーダにリンクされ、アンテナ導体フィーダは、（スロット・）アンテナを形成する頂部および／または底部ハウジングに直接接続されるか、または、（スロット・）アンテナに電磁的に接続される。
【００１７】
金属ハウジングの堅牢性により、ハウジングのサイズを縮小させることが可能となる。好ましい実施形態においては、装置の長さおよび幅は、約１２センチメートルであり、装置の高さは２センチメートル未満である。
【００１８】
図２Ａは、頂部ハウジング１１０の斜視図を示している。領域１１１，１１２，１１３，１１４は、５ＧＨｚアンテナのキャビティの第４の部分を表している。キャビティ１１１の例をとると、キャビティの第１の部分は、頂部ハウジング１１０の表面によって形成され、側壁部１１１Ａ，１１１Ｂおよび後壁部１１１Ｃによって完成される。これらの壁部は、頂部表面によって形成されるか、複数の別個の金属部分として頂部平面に固定される。広帯域の周波数のアプリケーションで使用可能とするために、キャビティの品質ファクタを最小限にすべきである。側壁部によってキャビティ付アンテナの共振周波数を調節できるようにする。壁部の形状および寸法は、装置の全体形状に従って、シミュレーションによって決定される。図２Ａに描かれているように、好ましい実施形態においては、壁部は、直線状で頂部ハウジング１１０に対して垂直であるが、例えば、丸い（直線状でない）、傾斜した（垂直でない）壁部またはより複雑な壁部形状を使用することができる。放射パターン・ダイバーシティを示す、例えば、装置の水平平面における相補的な放射パターンを示すように４つの５ＧＨｚキャビティが配置される。ＭＩＭＯの次数を高めること、したがって、アンテナの数を増加させることの要求は、（各隅部における複数の現行の５ＧＨｚアンテナ間の）同一の装置のエッジ上でスロット・アパーチャを追加する、または、この第１の金属ハウジング部分で追加的なアパーチャを形成することによって、この構成で対処できることができる。キャビティ１１５は、２．４ＧＨｚ専用のものである。このキャビティに対して上記の原理が適用される。
【００１９】
図２Ｂは、スペーサの斜視図を示している。スペーサ１２０は、誘電体における複数の切り込みまたは開口部を含む。切り込み１２１Ａ，１２２Ａ，１２３Ａ，１２４Ａは、アンテナ・フィーダを支持するように配置されている。切り込み１２１Ｂ，１２１Ｃ，１２２Ｂ，１２２Ｃ，１２３Ｂ，１２３Ｃ，１２４Ｂ，１２４Ｃは、頂部ハウジングを挿入するように配置され、特に、頂部ハウジングに組み込まれる壁部にフィットするようになっている。オプションで、頂部ハウジングを挿入できるように、さらに、頂部ハウジングに対するスペーサの位置決めおよび姿勢をガイドできるように、孔部１２５Ａ，１２５Ｂが配置される。
【００２０】
図２Ｃは、プリント回路基板の斜視図である。プリント回路基板１４０は、装置の機能を提供する電子部品を搭載する。これらの電子部品は、図示されていない。電子部品には、アンテナ・フィーダ（図示せず）をスロット・アンテナ、アンテナ駆動回路１４１Ａ，１４２Ａ，１４３Ａ，１４４Ａ，１４５Ａに接触させる導電パッド１４１，１４２，１４３，１４４，１４５が含まれる。キャビティ領域１４１Ｂ，１４２Ｂ，１４３Ｂ，１４４Ｂは、充填された導体を使用し、プリント回路基板からアンテナへのエネルギー伝導を増加するためにめっきされたスルーホールを追加することができる。接地面１４９Ａ，１４９Ｂ，１４９Ｃは、被覆がない、プリント回路基板の頂部層に配置され、頂部カバーの壁部との良好な接地接続を確保している。実際、プリント回路基板と頂部カバーの壁部との電気的な接続によって、キャビティの電磁シーリングが確保される。プリント回路基板と頂部ハウジングの壁部との接点間の距離は、波長の四分の一未満であり、好ましくは、接点は、例えば、金属フォームを使用することによりほぼ連続的となる。当業者であれば、ばね接点、はんだペースト、または、金属フォームなどの、プリント回路基板上の頂部カバーの壁部と接地面との間の電気的な接続を確保するために幾つかの解決法を使用できることが理解できるであろう。
【００２１】
図２Ｄは、底部ハウジングの斜視図である。底部ハウジング１５０の垂直部分１５１および水平部分１５３は、キャビティ付アンテナの各々のキャビティの第３の部分を形成する。プリント回路基板は、垂直部分に完全にフィットするものではないため、実際、水平部分は、キャビティを閉塞するために必要な部分である。プリント回路基板の回りにその組み立てを可能にするための幾らかの空きスペースを設ける必要がある。場合によっては、孔部１５５Ａ，１５５Ｂ，１５５Ｃを使用して回路基板を底部ハウジング１５０上に固定し、孔部１５７Ａ，１５７Ｂを使用してＤＣ電源部、ＨＤＭＩ（登録商標）、ＵＳＢ、ＵＳＢ−Ｃなどの、ケーブルまたは装置を接続することによって、装置と外部要素との間のインタフェースとする。場合によっては、キャビティの隔離性をさらに向上させるために、底部ハウジングには、頂部ハウジングに組み込まれた壁部と同様の壁部を組み込むことができる。
【００２２】
当業者であれば、装置を構成する様々な構成要素に対して他の構成を採用可能であることが理解できよう。例えば、装置が直立しているとき（大抵は、直立姿勢であり、図１に描かれているような水平姿勢となることの方が少ない）、本発明の原理を変更することなく、頂部ハウジングおよび底部ハウジングは、左ハウジングおよび右ハウジングで置き換えられ、または、前部ハウジングおよび後部ハウジングで置き換えられる。アンテナの位置もまた、パフォーマンスに若干の影響がある程度で変更することができる。例えば、５ＧＨｚアンテナを装置の各側の中央に配置させることができ、２．４ＧＨｚアンテナを装置の隅部に配置させることができる。使用するアンテナの数を他の任意の数にすることもできる。例えば、好ましい実施形態では、５ＧＨｚに対して８個のアンテナを使用し、２．４ＧＨｚに対して２個のアンテナを使用し、アンテナの数を倍増させる。アンテナは、ハウジングの側部、隅部、頂部にわたって分布している。
【００２３】
図３Ａは、４個の５ＧＨｚアンテナを組み込んだスペーサが無い代替的な実施形態による無線通信装置３００の斜視図である。本実施形態においては、頂部ハウジングと底部ハウジングとの間のスペーサが存在することなく、完全な金属ハウジングを形成している。各スロット・アンテナ３０１，３０２，３０３，３０４は、金属ハウジング内のスロットによって構成されている。開口部は、ダイキャスト技術または機械加工技術を用いて作製される。このスロット・アンテナは、好ましい実施形態において上述したものと同様のキャビティを使用している。したがって、上述した全ての原理がこの代替的な実施形態に適用される。例えば、スロットを開口させて（空気を充満させて）おいてもよいし、誘電材料を充填させてもよい。
【００２４】
図３Ｂは、美観的な理由でフェイク・スロット３１５，３１６が挿入された代替的な実施形態による無線通信装置３１０の斜視図である。この場合、スロット３１１，３１２，３１３，３１４のみがスロット・アンテナとして使用される。他のスロットは、同一の外観を有するが、関連付けられたスロット・アンテナの機能は有していない。
【００２５】
図３Ｃは、美観的な理由で別の態様のフェイク・スロット３２５，３２６が挿入された代替的な実施形態による無線通信装置３２０の斜視図である。このケースでは、スロット３２１，３２２，３２３，３２４のみがスロット・アンテナとして使用される。他のスロットは、スロット３２５のような、同一の外観を有することもあれば、または、スロット３２６のような、別の外観を有することもあり、スロット・アンテナ機能は関連付けられていない。
【００２６】
図３Ｄは、スロット・アンテナがパッチ・アンテナに置き換えられた代替的な実施形態による無線通信装置３３０の斜視図である。本実施形態においては、金属ハウジングにおける開口部は、点線の四角で強調して描かれているように、「Ｃ」字形状および反転した「Ｃ」字形状のダブルの開口部を含む。この形状は、ハウジング全体にわたって繰り返されたパターンを形成する。これらの形状の幾らかは、アクティブであり、パッチ・アンテナ機能が関連付けられている。他のもの（パッチ３３５，３３６）は、美観的な目的のみで挿入され、アンテナ機能が関連付けられていない。パターンは、単一の平面上（パッチ・アンテナ３３２のようなハウジングの表面）で実施されてもよく、２つの平面上（パッチ・アンテナ３３１，３３３，３３４のようなハウジングの境界）で実施されてもよく、３つの平面（図示されていないハウジングの隅部上）で実施されてもよい。スロットは、開口させて（空気を充満させて）おいてもよいし、誘電材料を充填させてもよい。キャビティに関連する原理もまた、この種のアンテナに適用される。
【００２７】
金属ハウジングには、電子部品の放熱のために使用できるという利点がある。図２Ａにおいて、頂部ハウジング上の四角形状の突部１１９は、装置のプロセッサのための接点領域であり、プロセッサからの熱を金属ハウジングに伝導させるために使用される。構成要素を組み立てることによって、プロセッサの頂部表面が確実にこの四角形状の突部と物理的に接触する。好ましくは、熱ペーストが、熱伝導を向上させるために使用される。
【００２８】
金属で構成されるハウジングを用いて説明を行ったが、当業者であれば、ハウジングを（表面がメタライズされているプラスチック、セラミック、ガラス、有機材料などの）非金属材料で構成することもでき、よって、一部の材料では堅牢性および熱効率が向上する点を除き、同様の効果を得ることができることが理解できよう。
【００２９】
なお、本発明の利点の１つは、組み立てを「目視せずに（ｉｎ  ｔｈｅ  ｂｌｉｎｄ）」行うことができ、その上、パッチまたはスロット・アンテナに対してアンテナ・フィーダを精度良く位置決めすることによって、良好なアンテナ性能が得られるという点である。さらに、構成要素を互いに組み立てる際、コネクタを互いに接続する操作、または、フィーダのはんだ付けを必要とすることなく、キャビティの壁部の一部がハウジングに組み込まれ、フィーダの電気接触が自動的に行われるため、組み立てのために必要な工数が削減できる。
【００３０】
装置の高さが幅よりも小さく、これによって、「頂部」および「底部」を決めている旧来の直方体の装置に従ってハウジング形状の説明を行った。他の寸法割合または他の形状が使用される場合には、「頂部」の定義は、装置の物理的な位置にはもはや関連しないことがある。明細書中で使用されている用語「頂部」は、キャビティをカバーすることによって、キャビティを閉塞する表面を定義している。高さが幅よりも大きい直立した装置の場合には、頂部は、側部のうちの一方に対応する。電子部品１００は、例えば、ゲートウェイ、タブレット、スマートフォン、ヘッドマウント・ディスプレイなどの、上述したアンテナを含むどのような他の電子装置であってもよい。
【図１Ａ】
2018067912.tif 000003
【図１Ｂ】
2018067912.tif 000004
【図２Ａ】
2018067912.tif 000005
【図２Ｂ】
2018067912.tif 000006
【図２Ｃ】
2018067912.tif 000007
【図２Ｄ】
2018067912.tif 000008
【図３Ａ】
2018067912.tif 000009
【図３Ｂ】
2018067912.tif 000010
【図３Ｃ】
2018067912.tif 000011
【図３Ｄ】
2018067912.tif 000012
【外国語明細書】
2018067912000001.pdf